(57)【要約】【課題】  泥上げや土嚢作りに使う麻袋、屋外清掃用ゴミ袋などの袋を簡単に設置して処理できる作業性に優れた袋保持具であって、作業者が一人でも容易に作業を行うことができる袋保持具を提供するものである。【解決手段】  袋保持具Ａは、上部及び下部に底を有さず内部または外部に麻やビニールなどの一端が開口している袋をその開口を上にして設置可能とする中空状の筒部１と、この筒部１と前記袋を離すために筒部１を引き上げ可能とする筒部１の外周に設けた取手部２と、を有している。【選択図】図１
0003207831.tif 000002
【実用新案登録請求の範囲】
【請求項１】
上部及び下部に底を有さず内部または外部に麻やナイロンなどの一端が開口している袋をその開口を上にして設置可能とする中空状の筒部と、この筒部と前記袋を離すために前記筒部を引き上げ可能とする前記筒部の外周に設けた取手部と、を有することを特徴とする袋保持具。
【請求項２】
前記筒部は、横断面形状が円形や楕円形などの曲線形状であることを特徴とする請求項１に記載の袋保持具。
【請求項３】
前記筒部は、重ねて状態で収納できるように前記上部に対して前記下部が若干細い形状であることを特徴とする請求項１または請求項２に記載の袋保持具。
【考案の詳細な説明】
【発明の詳細な説明】
【技術分野】
【０００１】  本考案は、泥上げや土嚢作りに使う麻袋、屋外清掃時ゴミ収納用のナイロン袋などの袋を簡単に設置して処理できる作業性に優れた袋保持具に関するものである。
【背景技術】
【０００２】  従来麻袋に泥や土砂などを詰め込む際に、袋のみでは自立困難であるため、作業を行ないにくく、複数の作業者で作業しなければならないなどの人手を要していた。【０００３】  このような問題に着目して、前記袋を自立させ、作業者一人でも作業が行えるようにするための袋保持具としての各種スタンドが知られている（例えば、特許文献１〜３参照）。
【先行技術文献】
【特許文献】
【０００４】
【特許文献１】  特開２０１１−１１１２７７号公報
【特許文献２】  特開２０１３−０２４０２５号公報
【特許文献３】  特開２０１５−０５７３５９号公報
【考案の概要】
【考案が解決しようとする課題】
【０００５】  従来のスタンドは、袋をスタンドの上方からその中央内部へ設置し、袋に土砂などを入れた後、今度はその土砂の入った重量のある袋をスタンドから再び取り外すためにスタンドの上方へ引き出さなければならず、作業性に問題を有していた。【０００６】  本考案は、このような従来の問題を解決するものであり、泥上げや土嚢作りに使う麻袋、屋外清掃時ゴミ収納用のナイロン袋などの袋を簡単に設置して処理できる作業性に優れる袋保持具の提供を目的とするものである。
【課題を解決するための手段】
【０００７】  本考案の袋保持具は、前記目的を達成するために、上部及び下部に底を有さず内部または外部に麻やナイロンなどの一端が開口している袋をその開口を上にして設置可能とする中空状の筒部と、この筒部と前記袋を離すために前記筒部を引き上げ可能とする前記筒部の外周に設けた取手部と、を有する。【０００８】  上記構成により、袋の中に泥や土砂やゴミなどを入れた後に、袋を持ち上げずに袋保持具を袋から分離できるので、作業が容易となる。【０００９】  また、前記筒部は、横断面形状が円形や楕円形などの曲線形状である。【００１０】  上記構成により、袋を傷つけ難く、袋の取扱に大きな注意を要することなく、作業が容易となる。【００１１】  また、前記筒部は、重ねて状態で収納できるように前記上部に対して前記下部が若干細い形状である。【００１２】  上記構成により、不使用時には、複数個を垂直方向に重ねることができ、略一個分の空間で多数個を保管することができるため、管理が容易となる。
【考案の効果】
【００１３】  上述したように本考案に係る袋保持具は、麻袋やナイロン製ゴミ袋などの袋を簡単に設置して処理できる作業性に優れるものである。【００１４】  本考案の袋保持具を活用することにより、袋の自立が可能となり最大積載量まで袋に泥や土砂などを詰め込め、袋を効率良く使用することができる。
【図面の簡単な説明】
【００１５】
【図１】  本考案の実施形態を示す斜視図
【図２】  同上実施形態の使用状況を示す説明図
【図３】  同上実施形態の使用状況を示す説明図
【図４】  同上実施形態の実施例を示す写真
【考案を実施するための形態】
【００１６】  以下、本考案の実施形態を図面に基づいて説明する。
【００１７】  １は、上部及び下部に底を有さず内部または外部に麻やナイロンなどの一端が開口している袋Ｂをその開口を上にして設置可能とする中空状の筒部、２は、筒部１と袋Ｂを離すために筒部１を引き上げ可能とする筒部１の外周に設けた取手部であり、これらが袋保持具Ａを構成している（図１参照）。
【００１８】  この袋保持具Ａの筒部１を、上方から一方が開口している袋Ｂの内部に収納する（図２参照）。
【００１９】  この状態で、筒部１の内部に泥や土砂など（いずれも図示しない）を入れることができる。
【００２０】  筒部１の内部に泥や土砂などが入った後、取手部２を持ち上げて筒部１を上方へ移動させて、袋保持具Ａを袋Ｂから離すことにより、袋Ｂは自重により移動することなく状態を保つため、袋保持具Ａと袋Ｂとを容易に分離することができる（図３参照）。
【００２１】  このように、袋保持具Ａは、例えば子供や女性など力が強くない作業者であっても容易かつ確実に作業を行なうことができる。
【００２２】  なお、袋保持具Ａの大きさや形状は任意に形成することが可能であり、例えば筒部１の横断面形状は、円あるいは楕円の曲線形状に形成することにより、袋Ｂを傷つけ難く、袋Ｂの取扱に好適である。
【００２３】  また、筒部１が如何なる形状の場合でも、袋保持具Ａを重ねて状態で収納できるように筒部１の上部に対して前記下部が若干細い形状に形成することにより、不使用時には、複数個を垂直方向に重ねることができ、保管が容易となる。
【００２４】  図４は、この考案の実施形態に係る実施例の実物写真であり、２０リットル容量の袋Ｂを使用している場合を示しており、この場合に用いている袋保持具Ａは、袋Ｂと同程度の容量のポリバケツ相当の材質および大きさである。
【００２５】  なお、取手部２は、筒部１を上方へ引き上げることができる形状であれば良く、例えば筒部１の周囲側面に手で持てる凹部および／または凸部などの突起物として設けても良い。
【００２６】  上述したように、本考案に係る袋保持具は、泥上げや土嚢作りに使う麻袋、屋外清掃用ゴミ袋などの袋を簡単に設置して処理できる作業性に優れる袋保持具である。
【符号の説明】
【００２７】  １  筒部
２  取手部
Ａ  袋保持具
Ｂ  袋
【図１】
0003207831.tif 000003
【図２】
0003207831.tif 000004
【図３】
0003207831.tif 000005
【図４】
0003207831.tif 000006
【手続補正書】
【提出日】平成28年9月8日(2016.9.8)
【手続補正１】
【補正対象書類名】明細書
【補正対象項目名】全文
【補正方法】変更
【補正の内容】
【考案の詳細な説明】
【技術分野】
【０００１】  本考案は、泥上げや土嚢作りに使う麻袋、屋外清掃時ゴミ収納用のビニール袋などの袋を簡単に設置して処理できる作業性に優れた袋保持具に関するものである。
【背景技術】
【０００２】  従来麻袋に泥や土砂などを詰め込む際に、袋のみでは自立困難であるため、作業を行ないにくく、複数の作業者で作業しなければならないなどの人手を要していた。【０００３】  このような問題に着目して、前記袋を自立させ、作業者一人でも作業が行えるようにするための袋保持具としての各種スタンドが知られている（例えば、特許文献１〜３参照）。
【先行技術文献】
【特許文献】
【０００４】
【特許文献１】  特開２０１１−１１１２７７号公報
【特許文献２】  特開２０１３−０２４０２５号公報
【特許文献３】  特開２０１５−０５７３５９号公報
【考案の概要】
【考案が解決しようとする課題】
【０００５】  従来のスタンドは、袋をスタンドの上方からその中央内部へ設置し、袋に土砂などを入れた後、今度はその土砂の入った重量のある袋をスタンドから再び取り外すためにスタンドの上方へ引き出さなければならず、作業性に問題を有していた。【０００６】  本考案は、このような従来の問題を解決するものであり、泥上げや土嚢作りに使う麻袋、屋外清掃時ゴミ収納用のビニール袋などの袋を簡単に設置して処理できる作業性に優れる袋保持具の提供を目的とするものである。
【課題を解決するための手段】
【０００７】  本考案の袋保持具は、前記目的を達成するために、上部及び下部に底を有さず内部または外部に麻やビニールなどの一端が開口している袋をその開口を上にして設置可能とする中空状の筒部と、この筒部と前記袋を離すために前記筒部を引き上げ可能とする前記筒部の外周に設けた取手部と、を有する。【０００８】  上記構成により、袋の中に泥や土砂やゴミなどを入れた後に、袋を持ち上げずに袋保持具を袋から分離できるので、作業が容易となる。【０００９】  また、前記筒部は、横断面形状が円形や楕円形などの曲線形状である。【００１０】  上記構成により、袋を傷つけ難く、袋の取扱に大きな注意を要することなく、作業が容易となる。【００１１】  また、前記筒部は、重ねて状態で収納できるように前記上部に対して前記下部が若干細い形状である。【００１２】  上記構成により、不使用時には、複数個を垂直方向に重ねることができ、略一個分の空間で多数個を保管することができるため、管理が容易となる。
【考案の効果】
【００１３】  上述したように本考案に係る袋保持具は、麻袋やビニール袋などの袋を簡単に設置して処理できる作業性に優れるものである。【００１４】  本考案の袋保持具を活用することにより、袋の自立が可能となり最大積載量まで袋に泥や土砂などを詰め込め、袋を効率良く使用することができる。
【図面の簡単な説明】
【００１５】
【図１】  本考案の実施形態を示す斜視図
【図２】  同上実施形態の使用状況を示す斜視図
【図３】  同上実施形態の使用状況を示す斜視図
【図４】  同上実施形態の実物の写真
【考案を実施するための形態】
【００１６】  以下、本考案の実施形態を図面に基づいて説明する。
【００１７】  １は、上部及び下部に底を有さず内部または外部に麻やビニールなどの一端が開口している袋Ｂをその開口を上にして設置可能とする中空状の筒部、２は、筒部１と袋Ｂを離すために筒部１を引き上げ可能とする筒部１の外周に設けた取手部であり、これらが袋保持具Ａを構成している（図１参照）。
【００１８】  この袋保持具Ａの筒部１を、上方が開口している袋Ｂの内部に収納する（図２参照）。
【００１９】  この状態で、筒部１の内部に泥や土砂（何れも図示しない）などを入れることができる。
【００２０】  筒部１の内部に泥や土砂などが入った後、取手部２を持ち上げて箇部１を上方へ移動させて、袋保持具Ａを袋Ｂから離すことにより、袋Ｂは自重により移動することなく状態を保つため、袋保持具Ａと袋Ｂとを容易に分離することができる（図３参照）。
【００２１】  このように、袋保持具Ａは、例えば子供や女性など力が強くない作業者であっても容易かつ確実に作業を行なうことができる。
【００２２】  なお、袋保持具Ａの大きさや形状は任意に形成することが可能であり、例えば筒部１の横断面形状は、円あるいは楕円の曲線形状に形成することにより、袋Ｂを傷つけ難く、袋Ｂの取扱に好適である。
【００２３】  また、筒部１が如何なる形状の場合でも、袋保持具Ａを重ねて状態で収納できるように筒部１の上部に対して前記下部が若干細い形状に形成することにより、不使用時には、複数個を垂直方向に重ねることができ、保管が容易となる。
【００２４】  また、上記説明では、袋保持具Ａの筒部１を、上方が開口している袋Ｂの内部に収納する使用例を説明した（段落番号００１８参照）が、袋保持具Ａと袋Ｂとの位置関係を反対、すなわち袋保持具Ａの内部に袋Ｂを設置して使用することもできる。
【００２５】  また、取手部２は、筒部１を上方へ引き上げることができる形状であれば良く、例えば筒部１の周囲側面に手で持てる凹部および／または凸部などの突起物として設けても良い。
【００２６】  図４は、この考案の実施形態に係る実物の写真であり、２０リットル容量の袋Ｂを使用している場合を示しており、この場合に用いている袋保持具Ａは、袋Ｂと同程度の容量のポリバケツ相当の材質および大きさである。
【００２７】  上述したように、本考案に係る袋保持具は、泥上げや土嚢作りに使う麻袋、屋外清掃用ビニール袋などの袋を簡単に設置して処理できる作業性に優れる袋保持具である。
【符号の説明】
【００２８】  １  筒部
２  取手部
Ａ  袋保持具
Ｂ  袋